(57)【要約】【課題】カバーをケースから簡単に外すことは出来ない構造であって、しかも特殊な治具を使用することによって、カバーを少しも傷めないで取り外すことが出来る構造を実現することを目的とする。【解決手段】カバー３０はその側板部３２−１，３２−２が、ケース２０の側板部２３−１、２３−２の内側に嵌合されて、ケースに被される。筐体構造１０の内部において、側板部２３−１の係止穴３４−１が側板部３２−１に切起こして形成してある係止片２４−１に係止している。ケース２０の側板部２３−１には、係止解除用治具が挿入される係止解除用スリット２５−１が形成してある。【選択図】図１
2008085256.tif 000002
【特許請求の範囲】
【請求項１】
底板部と該底板部の周囲の上向きの側板部とよりなるケースと、天板部と該天板部の縁の下向きの側板部とを有し、前記ケースに被されたカバーと、内部に収まっている回路基板ユニットとよりなる電子装置であって、
前記カバーの下向き側板部が、前記ケースの上向き側板部の内側に嵌合しており、
前記ケースの上向き側板部の内側に、前記下向き側板部と前記上向き側板部とが係止し合しあっている係止構造部を有し、
且つ、前記ケースは、前記上向き側板部のうち前記係止構造部より下側の部位に、係止解除用のスリットを有する構成としたことを特徴とする電子装置。
【請求項２】
請求項１に記載の電子装置において、
前記係止構造部は、
前記ケースの上向き側板部に、該上向き側板部の内側に切起こされており、且つ、先端が斜め下向きである係止片に、前記カバーの下向き側板部に形成してある係止穴が係止している構成であることを特徴とする電子装置。
【請求項３】
底板部と該底板部の周囲の上向きの側板部とよりなるケースと、天板部と該天板部の縁の下向きの側板部とを有し、前記ケースに被されたカバーとよりなる筐体構造であって、
前記カバーは、その下向き側板部を前記ケースの上向き側板部の内側に嵌合しており、
前記ケースの上向き側板部の内側に、前記下向き側板部と前記上向き側板部とが係止し合しあっている係止構造部を有し、
且つ、前記ケースは、前記上向き側板部のうち前記係止構造部より下側の部位に、係止解除用のスリットを有する構成としたことを特徴とする筐体構造。
【請求項４】
請求項３に記載の筐体構造において、
前記係止構造部は、
前記ケースの上向き側板部に、該上向き側板部の内側に切起こされており、且つ、先端が斜め下向きである係止片に、前記カバーの下向き側板部に形成してある係止穴が係止している構成であることを特徴とする筐体構造。
【請求項５】
カバーの下向き側板部がケースの上向き側板部に内側に嵌合し、カバーの下向き側板部に形成してある係止穴が、ケースの上向き側板部に内側に切起こされて形成してある先端が斜め下向きである係止片に係止されており、
且つ、カバーの下向き側板部のうち前記係止片よりも下側の部位に、係止解除用のスリットを有することを特徴とする係止構造。
【発明の詳細な説明】
【技術分野】
【０００１】
本発明は電子装置に係り、特に、ケースとカバーとよりなる筐体構造を採用している電子装置に関する。
【背景技術】
【０００２】
無線に関する装置に組み込んである筐体構造のモジュール（例えばＩＣタグ読み取り装置のＲＦモジュール）については、簡単に改造されないようにするために、無線規格でもって、カバーが簡単には外れない構造となっていることが要求されている。
【０００３】
図７は、従来のＲＦモジュール１の筐体構造を断面して示す。ケース２内に回路基板ユニット３が収まっており、カバー４がケース２に被さっており、カバー４は半田付け部５によってケース２と結合してある。カバー４は簡単には外れない状態にあり、ＲＦモジュール１は無線規格を満足している。
【特許文献１】実開平０６−０６４２３４号公報
【特許文献２】実用新案登録  ３０７６９１１号公報
【発明の開示】
【発明が解決しようとする課題】
【０００４】
上記のＲＦモジュール１において、特性検討や修理のためにカバー４を取り外す場合には、半田ごてを使用して半田付け部５の半田を溶かして半田を取り除いていた。この作業によって、場合によっては、ケース２やカバー４が無用に変形したり外観が傷んだりして、再度使用することが出来なくなってしまうことがあった。
【０００５】
そこで、本発明は、上記課題を解決した電子装置を提供することを目的とする。
【課題を解決するための手段】
【０００６】
本発明は、底板部（２１）と該底板部の周囲の上向きの側板部（２３−１〜２３−４）とよりなるケース（２２）と、天板部（３１）と該天板部の縁の下向きの側板部（３２−１，３２−２）とを有し、前記ケースに被されたカバー（３０）と、内部に収まっている回路基板ユニット（１３）とよりなる電子装置であって、
前記カバーの下向き側板部（３２−１，３２−２）が、前記ケースの上向き側板部（２３−１、２３−２）の内側に嵌合しており、
前記ケースの上向き側板部の内側に、前記下向き側板部と前記上向き側板部とが係止し合しあっている係止構造部（４０）を有し、
且つ、前記ケースは、前記上向き側板部のうち前記係止構造部より下側の部位に、係止解除用のスリット（２５−１〜２５−４）を有する構成としたことを特徴とする。
【０００７】
尚、上記参照符号は、あくまでも参考であり、これによって、本願発明が図示の態様に限定されるものではない。
【発明の効果】
【０００８】
本発明によれば、係止構造部がケースの上向き側板部の内側に形成してあるため、係止構造部には簡単には接近することが出来ず、しかし、係止解除用スリットを有しているため例えば特殊な治具を使用しこれを係止解除用スリット内に差し込むことによって、カバーを少しも傷めないで係止構造部の係止を解除すること出来る。即ち、本発明によれば、カバーをケースから簡単に外すことは出来ない構造であって、しかも例えば特殊な治具を使用することによって、カバー及びケースを少しも傷めないでカバーを取り外すことが出来る。
【発明を実施するための最良の形態】
【０００９】
次に本発明の実施の形態について説明する。
【実施例１】
【００１０】
図１は本発明の実施例１になるＲＦモジュール１０を分解して示す。ＲＦモジュール１０はＩＣタグ読み取り装置内に組み込まれる。図２（Ａ），（Ｂ）はＲＦモジュール１０の組み立てを説明する図であり、図３（Ａ）乃至（Ｄ）は係止動作の過程及び係止構造部４０を示す。
【００１１】
ＲＦモジュール１０は、筐体構造１１の内部にＲＦ回路基板ユニット１３が収容してある構成である。筐体構造１１は、カバー３０がケース２０に係止構造部４０でもって係止された構成である。カバー３０及びケース２０は、共に、金属板を、切起こし、折り曲げ加工等をして形成されたものである。ＸはＲＦモジュール１０の幅方向、Ｙは長手方向、Ｚは高さ方向である。
【００１２】
［ケース２０、カバー３０、ＲＦ回路基板ユニット１３の構成］
ケース２０は、矩形の底板部２１と、この底板部２１を囲む枠部２２とよりなる。枠部２２は、底板部２１の各辺より立ち上がっている上向き側板部２３−１〜２３−４よりなる。長手方向に沿う対向する上向き側板部２３−１、２３−２には、夫々対向する二箇所に、係止片２４−１〜２４−４と係止解除用スリット２５−１〜２５−４とが形成してある。
【００１３】
係止片２４−１は、上向き側板部２３−１、２３−２の一部をケース２０の内側に切り起こし加工を行うことによって形成したものであり、先端２４ａが斜め下を向いており、先端２４ａは枠部２２よりケース２０の内側に突き出ている。なお、本明細書では、上向き側板部２３−１、２３−２のうちケース２０の内側に対向する面を、単に上向き側板部２３−１、２３−２の内側ということもある。他の係止片２４−２、２４−３、２４−４は、係止片２４−１と同じである。
【００１４】
なお、上向き側板部２３−１等を切り起こして形成した係止片２４−１等に代えて、上向き側板部２３−１等の一部を内側に突き出すように変形させて形成した突起でもよい。
【００１５】
係止解除用スリット２５−１は、係止片２４に対応する箇所であって、上向き側板部２３−１、２３−２と底板部２１とが形成する角部に、上向き側板部２３−１、２３−２と底板部２１との両方にまたがって形成してある。２５−１ａは、上向き側板部２３−１に形成してあるスリット部であり、係止片２４に対応する箇所であって、係止片２４よりも下側（Ｚ２方向側）に形成してある。２５−１ｂは、底板部２１に形成してあるスリット部であり、スリット部２５−１ａと続いている。他の係止解除用スリット２５−２、２５−３、２５−４は、係止解除用スリット２５−１と同じである。
【００１６】
カバー３０は、天板部３１と、天板部３１の縁から下方に折り曲げてある下向き側板部３２−１〜３２−５とよりなり、下向き側板部３２−１〜３２−５がケース２０の枠部２２の内側に嵌合する大きさである。
【００１７】
下向き側板部３２−１〜３２−５のうち対向する下向き側板部３２−１、３２−２は、前記の係止片２４−１〜２４−４に対応する部位に、Ｚ２方向に舌状に張り出した舌状張出部３３−１〜３３−４を有する。舌状張出部３３−１には、四角の係止穴３４−１が形成してある。舌状張出部３３−１の先端には、カバー３０の内側の方向に斜めに折り曲げたガイド部３５−１が形成してある。また、天板部３１と下向き側板部３２−１とが形成する角部のうち舌状張出部３３−１に対応する箇所には、スリット３６−１が形成してあり、舌状張出部３３−１は矢印Ａ、Ｂで示すようにカバー３０の内側方向に弾性変形可能としてある。他の舌状張出部３３−２、３３−３、３３−４も、上記の舌状張出部３３−１と同じ構成であり、係止穴３４−２、３４−３、３４−４、及びガイド部、及びスリットを有する。
【００１８】
ＲＦ回路基板ユニット１３は、回路基板１４上にＩＣ部品１５が実装してある構成であり、ケース２０に対応する大きさである。回路基板１４の縁のうち、係止解除用スリット２５−１〜２５−４に対応する部位には、切り欠き部１４ａが形成してある。切り欠き部１４ａは、回路基板１４が係止構造部４０と干渉しないようにするためのものである。
【００１９】
［ＲＦモジュール１０の組み立て］
ＲＦモジュール１０は、図２（Ａ）に示すように、ＲＦモジュール１０は、ケース２０の内側にＲＦ回路基板ユニット１３をセットし、上方から、カバー３０を水平の姿勢で降ろして被せ、Ｚ２方向に押し付けることによって、図２（Ｂ）に示すように、下向き側板部３２−１〜３２−５がケース２０の枠部２２の内側に嵌合し、係止穴３４−１〜３４−４が夫々係止片２４−１〜２４−４に係止されて、係止構造部４０（図３（Ｄ）参照）が四箇所に同時に形成されて、カバー３０がケース２０と結合されて筐体構造１１が形成されて、完成する。
【００２０】
図３（Ａ）乃至（Ｄ）は、係止穴３４−１が係止片２４−１に係止される過程を示す。
【００２１】
先ず、図３（Ａ）及び（Ｂ）に示すように、ガイド部３５−１を上向き側板部２３−１の上縁によって案内されて、舌状張出部３３−１が上向き側板部２３−１の内側に嵌合し、次いで、図３（Ｃ）に示すように、舌状張出部３３−１がカバー３０の内側に向かって、即ち、矢印Ａ方向に弾性的に変形されつつ、ガイド部３５−１が係止片２４−１を乗り越え、図３（Ｄ）に示すように、舌状張出部３３−１の先端が底板部２１の上面に突き当たる最終位置に到る。また、下向き側板部３２−１は上向き側板部２３−１の内側に嵌合する。カバー３０はそれ以上はＺ２方向に押し下げられない状態となる。このときに、係止穴３４−１が係止片２４−１と対向して、舌状張出部３３−１がカバー３０に外側に向かって、即ち、矢印Ｂ方向に弾性的に復元して、係止穴３４−１が係止片２４−１と係止され、係止構造部４０が形成される。
【００２２】
ここで、係止構造部４０が形成されている箇所は、筐体構造１１の内部であり、外部から容易には近づけない箇所であるので、カバー３０は特殊な治具を使用しない限りは外れない構造となり、ＲＦモジュール１０は無線規格を満足したものとなる。
【００２３】
なお、上記の係止片２４−１等に代えて、上向き側板部２３−１等の一部を内側に突き出すように変形させて形成した突起を設けた場合には、係止構造部は、係止穴３４−１が突起に嵌合して係止された構造となる。
【００２４】
［特殊な治具を使用して行うカバー３０の取り外し］
ＲＦモジュール１０の特性検討や修理に際して、カバー３０を取り外すときには、図４に示す係止解除用治具５０を使用する。治具５０は、板片状であり、上側にフック部５１を有し、下側に押し部５２を有し、上記の係止解除用スリット２５−１〜２５−４に挿入可能である形状である。
【００２５】
この治具５０を、図５に示すように、ＲＦモジュール１０の側面のうち、係止構造部４０が形成されている箇所に対応する４箇所に取り付ける。
【００２６】
一つの治具５０についてみると、先ず、図６（Ａ）に示すように、斜めの姿勢にして、フック部５１を上向き側板部２３−１の上端縁２３−１ａに係止させ、押し部５２の先端部がスリット部２５−１ａ内に少し嵌合した状態とする。次いで、治具５０のうち下側寄りの部分を矢印Ｃで示すように押して、押し部５２を係止解除用スリット２５−１内に押し込む。治具５０は、図６（Ｂ）に示すように、上向き側板部２３−１の上端縁２３−１ａを係止しているフック部５１を中心に回動されて、押し部５２が係止解除用スリット２５−１内に入り込む。押し部５２は、舌状張出部３３−１の下端近傍をＲＦモジュール１０の中心側に押し込み、舌状張出部３３−１が図６（Ｂ）に示すように弾性変形されて、係止穴３４−１が係止片２４−１より抜け出して、係止が解除される。なお、舌状張出部３３−１は切り欠き部１４ａの内側で、回路基板１４と干渉することなく変位する。
【００２７】
治具５０が４箇所に上記のように取り付けられ、４箇所全部の係止が解除された状態でカバー３０を上方向に引き上げることによって、カバー３０が図６（Ｃ）に示すようにケース２０から取り外される。
【００２８】
カバー３０は少しも痛まずに取り外され、ＲＦモジュール１０の特性検討や修理を完了した後には再度使用されて、ケース２０に取り付けられる。
【００２９】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００３０】
【図１】本発明の実施例１になるＲＦモジュールを分解して示す図である。
【図２】図１のＲＦモジュールの組み立てを説明する図である。
【図３】係止動作の過程及び係止構造部を拡大して示す図である。
【図４】係止解除用治具を示す斜視図である。
【図５】ＲＦモジュールに治具を取り付けた状態を示す図である。
【図６】治具によって係止構造部の係止が解除されることを拡大して示す図である。
【図７】従来のＲＦモジュールを示す図である。
【符号の説明】
【００３１】
１０  ＲＦモジュール
１１  筐体構造
１３  ＲＦ回路基板ユニット
１４  回路基板
１４ａ  切り欠き部
２０  ケース
２１  底板部
２２  枠部
２３−１〜２３−４  上向き側板部
２４−１〜２４−４  係止片
２５−１〜２５−４  係止解除用スリット
３０  カバー
３１  天板部
３２−１〜３２−５  下向き側板部
３３−１〜３３−４  舌状張出部
３４−１〜３４−４  係止穴
３５−１  ガイド部
３６−１  スリット
４０  係止構造部
５０  係止解除用治具
５１  フック部
５２  押し部
【図１】
2008085256.tif 000003
【図２】
2008085256.tif 000004
【図３】
2008085256.tif 000005
【図４】
2008085256.tif 000006
【図５】
2008085256.tif 000007
【図６】
2008085256.tif 000008
【図７】
2008085256.tif 000009